(57)【特許請求の範囲】
【請求項１】
放水路天端を放水部と導水部に２区分した本堤を、川を遮るように配置し、該本堤の袖天端の一方に魚道出口としての貫通孔を設け、前記貫通孔の下流に魚道本体と魚道入口を、前記魚道出口の上流に魚道出口プ−ルを配置し、前記魚道出口プールは前記本堤と間隔をもって配置した擁壁と前記擁壁と本堤とを接続する仕切によって区画し、さらに前記貫通孔と前記魚道本体の間には余水吐を設け、また、前記魚道入口を本堤の近傍に配置したことを特徴とする魚道本体に対する保護施設。
【請求項２】
前記魚道本体の周囲には根張りの小さい樹木を植えたことを特徴とする請求項１に記載の魚道本体に対する保護施設。
【請求項３】
前記導水部は放水部から一段下げた凹部とし、本堤の袖天端の貫通孔の下流側に余水吐を有し、前記余水吐の下流側に配置する前記魚道本体は、上段魚道本体、魚道中間プ−ル、下段魚道本体の順に連結し、該下段魚道本体の下端には魚道入口を設けて遡上する魚に対して発見が容易とするように本堤近傍に配置して構成され、また、前記擁壁には上流側に沿って護岸を設置したことを特徴とする請求項１または請求項２記載の魚道本体に対する保護施設。
【請求項４】
前記導水部は本堤の中央部に形成した放水部の一側に設置し、さらに前記貫通孔は、前記導水部側の袖天端に設け、前記貫通孔の下流に配置する魚道本体は、川の一方の岸辺側に設置したことを特徴とした請求項１〜３のいずれかに記載の魚道本体に対する保護施設。
【請求項５】
前記導水部と前記貫通孔を同じ高さとし、前記下段魚道本体の下端に配置する魚道入口は導水部からの落水の近傍に配置し遡上する魚に対して魚道入口の発見を容易となるようにし、さらに導水部の上流側に続く仕切と擁壁と護岸の面は川の流れに沿って形成された略同一面として構成し、護岸→擁壁→仕切→導水部の水の流れを一直線に流れるようにしたことを特徴とする請求項１〜４のいずれかに記載の魚道本体に対する保護施設。
【請求項６】
擁壁と仕切によって形成されるみお筋の上流部の川底を満砂後にコンクリート張としたことを特徴とする請求項１〜５のいずれかに記載の魚道本体に対する保護施設。
【請求項７】
放水路天端に設ける導水部は放水部より３０〜５０ｃｍ程度下げるが、該導水部の幅は当該流域の渇水時水量によって決まり、また、魚道出口プ−ルの仕切の高さを該導水部より５〜２０ｃｍ程度高くし、さらに、魚道出口プ−ルの幅を２ｍ以上とし、護岸の長さを２ｍ以上としたことを特徴とする請求項１〜６のいずれかに記載の魚道本体に対する保護施設。
【請求項８】
魚道本体での水量を適量とするための貫通孔と上段魚道本体の間に余水吐を設けたことを特徴とする請求項１〜７のいずれかに記載の魚道本体に対する保護施設。
【請求項９】
両側部に袖天端を、中央部に放水部と導水部とを形成した放水路天端を有する本堤の下流側に、両側部に袖天端を、中央部に放水部と導水部を形成した放水路天端を有する副堤を設置し、本堤袖天端に形成した貫通孔と副堤袖天端の貫通孔とを連通する上段魚道本体と、前記副堤袖天端の貫通孔の下流側に設けた魚道本体とを有し、前記下流側に設けた魚道本体は中間魚道本体と魚道中間プールと下段魚道本体とからなり、前記下段魚道本体の下端で、かつ、副堤の直下の近傍に魚道入口を配置し、遡上する魚の入口となるようにし、さらに、前記本堤袖天端に形成した貫通孔の上流側に魚道出口プ−ルを配置し、前記魚道出口プールは前記本堤と間隔をもって配置した擁壁と前記擁壁と本堤とを接続する仕切によって区画し、さらに前記貫通孔と上段魚道本体の間には余水吐を設けたことを特徴とする魚道本体に対する保護施設。
【請求項１０】
前記本堤および副堤に形成する貫通孔は、それぞれ導水部を有する側の袖天端に設けるものとし、魚道本体は、川の一方の岸辺側に設置したことを特徴とする請求項９に記載の魚道本体に対する保護施設。
【請求項１１】
本堤の導水部と魚道出口を同じ高さとし、副堤の直下に設けた下段魚道本体の下端は副堤の導水部の近傍に配置し、本堤の上流部の仕切と擁壁と護岸の川に沿った面は略同一面として構成し護岸→擁壁→仕切→導水部の水の流れを一直線にしたことを特徴とする請求項９または１０に記載の魚道本体に対する保護施設。
【請求項１２】
擁壁と仕切によって形成されるみお筋の上流部の川底を満砂後にコンクリート張にしたことを特徴とする請求項９〜１１のいずれかに記載の魚道本体に対する保護施設。
【請求項１３】
本堤の放水路天端に設ける導水部は放水部より３０〜５０ｃｍ程度低くするが、該導水部の幅は当該流域の渇水時水量によって決まり、また、副堤の放水路天端の落差は１ｍ以上とし、魚道出口プ−ルの仕切の高さを該導水部より５〜２０ｃｍ程度高くし、魚道出口プ−ルの仕切は該導水部より５〜２０ｃｍ程度高くし、また、魚道出口プ−ルの幅を２ｍ以上、護岸の長さを２ｍ以上とし、副提の放水部の落差は１ｍ以上にし、該副提の導水部は放水部より３０ｃｍ程度低くしたことを特徴とする請求項９〜１２のいずれかに記載の魚道本体に対する保護施設。
【請求項１４】
魚道本体の上段魚道本体、中間魚道本体、下段魚道本体の周囲には、根張りの小さい樹木を植設したことを特徴とする請求項９〜１３のいずれかに記載の魚道本体に対する保護施設。
【請求項１５】
前記樹木は根張りによる魚道本体の破壊の影響が少ない灌木であることを特徴とする請求項１４に記載の魚道本体に対する保護施設。
【発明の詳細な説明】
【０００１】
【発明の属する技術分野】
本発明は、山間の渓流に生息する渓流魚の遡上に支障のないようにした魚道に対する保護施設に関するものである。
【０００２】
【従来の技術】
渓流魚は山間の渓流に生息する魚で渓流を遡上する習性があり、内水面漁業の資源であるとともに、資源環境を計る一つの尺度にもなっている。一方砂防・治山・治水という災害防止の目的から渓流には堤（砂防ダム，治山ダム）が設置され、渓流魚の遡上の障害となっている。この問題策として、堤に魚道を設置することが多い。すなわち、渓流に設置する治山ダム又は砂防ダムの本堤は両側部に袖天端を、中央部に放水路天端を有し、川（沢）を遮るように両岸まで配置させるのが一般的である。その本堤に付設する渓流魚道本体（以下、「魚道」と言う）は袖天端の片側に貫通孔を造りその貫通孔の上端を魚道出口とし、その魚道出口の下方に上段魚道と魚道中間プ−ルと下段魚道とを連結させ、下段魚道の下端を魚の遡上口（入口）とするのが一般的である。このように、これまでの魚道は魚道出口と上段魚道と魚道中間プ−ルと下段魚道とで成立っていた。しかし、渓流に設置されている治山ダム・砂防ダムは、特有の様々な厳しい条件を抱えているため、せっかく設置された魚道が魚の遡上という機能を果たしていないのが現状である。その厳しい条件とは▲１▼土砂の流入が多い、▲２▼流木、木の枝・葉等の流入が多い、▲３▼水位変動が大きい、▲４▼ダム上流部の水位が堆砂の進行に伴い徐々に上昇変化する、▲５▼みお筋（常水路）の変化が大きい、▲６▼河岸の条件が厳しい、▲７▼山間部にあるため維持管理が困難等である。これらの厳しい条件を完全にクリア−しなければ魚道としての機能を果たすことができない。もし、仮に１点だけでも不十分であったとすれば、その他の条件がクリア−されていても、魚道は土砂に埋まり、魚はまったく遡上できなくなる。
【０００３】
【発明が解決しようとする課題】
前記のように、国土保全を目的として渓流には治山・砂防ダム等の渓間工を設置するが、その治山・砂防ダム等に付設した既設の魚道は、▲１▼流下する土砂によって魚道が埋没したもの、▲２▼流下するゴミによって魚道が閉塞したもの、▲３▼流水を安定的に魚道に供給できないもの、▲４▼遡上する魚の安全を守るため魚道の周辺に工夫していないもの、▲５▼遡上する魚に対して魚道入口の発見を困難と思われるもの等の問題を抱えていて、十分な機能を発揮していないものがほとんどである。本発明は、流下する土砂、ゴミ（落葉、落枝、流木等）によって魚道が埋設或いは閉塞しないようにすること、流水を安定的に供給するようにすること、魚が安全に遡上できるようにすること、遡上する魚に対して魚道入口の発見を容易にできるようにしたことを目的としたものである。
【０００４】
【課題を解決するための手段】
このため、本発明が採用した技術解決手段は、
放水路天端を放水部と導水部に２区分した本堤を、川を遮るように配置し、該本堤の袖天端の一方に貫通孔（魚道出口）を設け、前記貫通孔の下流に、余水吐、魚道本体（上段魚道本体、中間魚道プール、下段魚道本体）、魚道入口の順に連結し、貫通孔の上流に魚道出口プ−ルを配置し、前記魚道出口プールは前記本堤と間隔をもって配置した擁壁と前記擁壁と本堤とを接続する仕切によって区画し、また、前記魚道入口を本堤直下の近傍に配置したことを特徴とする魚道本体に対する保護施設である。
また、前記魚道本体の周囲に根張りの小さい樹木（潅木）を植えたことを特徴とする請求項１に記載の魚道本体に対する保護施設である。
また、前記導水部は放水部から一段下げた凹部とし、前記魚道本体は、本堤の袖天端の貫通孔の下流側に余水吐と上段魚道本体を連結し、該上段魚道本体に魚道中間プ−ルを介して下段魚道本体を連結し、該下段魚道本体の下端には魚道入口を配置し、遡上する魚の入口となるように本堤直下の近傍に配置して構成され、また、前記擁壁には上流側に沿って護岸を設置したことを特徴とする魚道本体に対する保護施設である。
また、前記導水部は本堤の中央部に形成した放水部の一側に設置し、さらに前記貫通孔は、前記導水部側の袖天端に設け、前記貫通孔の下流に配置する魚道本体は、川の一方の岸辺側に設置したことを特徴とした魚道本体に対する保護施設である。
また、前記導水部と前記貫通孔の魚道出口を同じ高さとし、前記下段魚道本体の下端の魚道入口は導水部の直下の近傍に配置し遡上する魚に対して魚道入口の発見を容易となるようにし、さらに導水部の上流に位置して続く仕切と擁壁と護岸の面は川の流れに沿って形成された略同一面として構成し、護岸→擁壁→仕切→導水部の水の流れを一直線に流れるようにしたことを特徴とする魚道本体に対する保護施設である。
また、擁壁と仕切によって形成されるみお筋の上流部の川底を満砂後にコンクリート張にしたことを特徴とする魚道本体に対する保護施設である。
また、放水路天端の導水部を放水部より３０〜５０ｃｍ程度下げ、該導水部の幅を当該流域の渇水時水量に合わせるようにし、また、魚道出口プ−ルの仕切の高さを該導水部より５〜２０ｃｍ程度高くし、さらに、魚道出口プ−ルの幅を２ｍ以上とし、護岸の長さを２ｍ以上としたことを特徴とする魚道本体に対する保護施設である。
また、魚道本体での水量を適量とするために魚道出口としての貫通孔と上段魚道本体の間に余水吐を設けたことを特徴とする魚道本体に対する保護施設である。
【０００５】
また、両側部に袖天端を、中央部に放水部と導水部とを形成した放水路天端を有する本堤の下流側に、両側部に袖天端を、中央部に放水部と導水部を形成した放水路天端を有する副堤を設置し、本堤袖天端に形成した貫通孔（魚道出口）と副堤袖天端の貫通孔とを連通する上段魚道本体と、前記副堤袖天端の貫通孔の下流側に設けた魚道本体とを有し、前記下流側に設けた魚道本体は中間魚道本体と魚道中間プールと下段魚道本体とからなり、前記下段魚道本体の下端には魚道入口を配置し、前記魚道入口は副堤の直下の近傍に配置し、遡上する魚の入口の発見を容易とし、さらに、前記本堤袖天端に形成した貫通孔の上流側に魚道出口プ−ルを配置し、前記魚道出口プールは前記本堤と間隔をもって配置した擁壁と前記擁壁と本堤とを接続する仕切によって区画し、さらに前記貫通孔と上段魚道本体の間には余水吐を設けたことを特徴とする魚道本体に対する保護施設である。
【０００６】
また、前記本堤および副堤に形成する貫通孔は、それぞれ導水部を有する側の袖天端に設けるものとし、魚道本体は、川の一方の岸辺側に設置したことを特徴とする魚道本体に対する保護施設である。
また、本堤の導水部と魚道出口を同じ高さとし、副堤の直下に設けた下段魚道本体の下端の魚道入口は副堤の導水部直下の近傍に配置し、本堤の上流部の仕切と擁壁と護岸の川に沿った面は略同一面として構成し護岸→擁壁→仕切→導水部の水の流れを一直線にしたことを特徴とする魚道本体に対する保護施設である。
また、擁壁と仕切によって形成されるみお筋の上流部の川底を満砂後にコンクリート張にしたことを特徴とする魚道本体に対する保護施設である。
また、本堤の放水路天端に設ける導水部（みお筋）は放水部より３０〜５０ｃｍ程度低くし、魚道出口プ−ルの仕切は該導水部より５〜２０ｃｍ程度高くし、また、魚道出口プ−ルの幅（仕切の長さ）を２ｍ以上、護岸の長さを２ｍ以上とし、副堤の放水部の落差を１ｍ以上とするとともに、導水部（呼水）は放水部より３０ｃｍ程度低くしたことを特徴とする魚道本提に対する保護施設である。
また、魚道本体の全て（上段魚道本体、中間魚道本体、下段魚道本体）の周囲には、根張りの小さい樹木を植設したことを特徴とする魚道本体に対する保護施設である。
また、前記樹木は灌木であることを特徴とする魚道本体に対する保護施設である。
【０００７】
【発明の実施形態】
図１は、本発明の第一実施例である魚道に対する保護施設の概念図である。図２は、本発明の第一実施例の本堤の斜視図である。図３は、本発明の第一実施例の平面図である。図４は、本発明の第一実施例の魚道の斜視図である。図５は、本発明の第二実施例である魚道の概念図である。図６は、本発明の第二実施例の副堤の斜視図である。図７は、本発明の第二実施例の平面図である。
【０００８】
図１において、川Ｒには、川幅の全幅に渡って本堤１が設置され、本堤１の下流側の左岸（川Ｒを上流から下流をみて左側を「左岸」という）に魚道２、上流側に魚道出口プ−ル３、擁壁４、護岸５等が設けられている。図２は本堤１の斜視図で、本堤１は両端部に袖天端６、中央部に放水路天端８からなり、放水路天端８は両側の袖天端６、袖天端6 から一段下がった放水部９と放水部９から更に下がった導水部１０とからなる。更に、本堤１には、魚道の一部をなす魚道出口としての本堤袖天端の貫通孔７が形成されている。図３は本堤１、魚道２、魚道出口プ−ル３、擁壁４、護岸５等が配置された平面図で、図４は魚道２の斜視図である。図３、４に示すように、魚道２は魚道出口２１、余水吐１９、上段魚道１１、魚道中間プ−ル１２、下段魚道１３からなり、上段魚道１１は本堤１の魚道出口としての貫通孔７の下流側にある余水吐１９に連絡され、下段魚道１３の下端は、遡上する魚の魚道入口１４となるもので、その位置は本堤１の導水部１０の近傍とする。魚道入口１４を、本堤１の導水部１０の近傍としたので反対側を遡上する魚に対して魚道入口１４の発見が容易となる。この場合、呼び水装置を設ければ更に魚道入口の発見が容易となる。
【０００９】
次に、魚道２の具体的な構成を図４に基づいて説明する。上段魚道１１は平行な側壁１５、１６を有し、その側壁１５、１６に水が蛇行するように隔壁１７、１８（バ−チカルスロット式魚道の場合）を互いに千鳥状になるように設け、下段魚道１３にも同様に隔壁を設け、上段魚道１１と下段魚道１３との間に魚道中間プール１２を設ける。そして、上段魚道１１は下流に向かって低く傾斜しており、また、下段魚道１３は、上段魚道１１とは逆に上流方向に向かって上段魚道１１よりも更に低く傾斜しており、その結果、上流側の水は魚道出口としての貫通孔７、上段魚道１１、魚道中間プール１２、下段魚道１３、と流下しながら本堤１に向かって流れ本堤の下流側に注がれるものである。なお、魚道出口としての貫通孔７と上段魚道１１との間の側壁の一部を切り欠き洪水時の流量増加に対する水量調節機能とする余水吐１９を造る。また、上段魚道１１、下段魚道１３の近辺には、魚道を遡上する魚の身をより安全にするために樹木２２を植える (枝・葉が多く茂る潅木が望ましい）。以上、本堤１の下流側の構成について述べたが、次に上流側の構成について述べる。図１、３において、魚道出口としての貫通孔７の上流の位置には、遡上してきた魚の出口２１があり、その魚道出口２１から間隔をおいて擁壁４、護岸５と順次左岸辺に並置する。
本堤１と擁壁４と仕切２０でもって魚道出口プ−ル３を形成し、仕切２０と擁壁4 とでもって魚道出口プ−ル３にゴミ、砂等が入り込まないようにする。また、川Ｒの流れを整流にするために仕切２０、擁壁４、護岸５、の川Ｒに沿った面は同一面、すなわち面一とし、更に、その面は放水路天端８の面に沿うようにし、それによって、川Ｒの流れは護岸→擁壁→仕切→導水部を一直線に流れるようになるが、更に、仕切２０と擁壁４の前面（みお筋部３４）の流れをスムーズにするために、前記みお筋部３４の川底をコンクリ−ト張とする。
【００１０】
次に、第二実施例である図５〜７に基づいて説明する。図 5に示されているように、本堤１の形状及び本堤１の上流側の構成は第一実施例と同様なのでその説明については省略する。本堤１の袖天端６には魚道出口２１としての貫通孔７を造り該貫通孔７の下方流には余水吐１９と上段魚道３０と副堤の袖天端２５の貫通孔２９と中間魚道２３と魚道中間プ−ル３１と下段魚道２３を設置する。副堤２４の形状は、本堤１と同様の形状で、図６に示すように、両端部に袖天端２５、中央部に放水路天端２７を有し、一方の袖天端２５から一段下がった放水路天端２７の放水部２6 が、放水部２６から更に下がった導水部２８を形成し、この導水部２８から他方の袖天端２５に連なって、副堤２４を形成している。更に、副堤２４の導水部２８側の袖天端２５には貫通孔２９が形成されている。図７に示すように、本堤１の魚道出口としての貫通孔７と副堤２４の貫通孔２９とは上段魚道３０を介して連通され、そして、副堤２４の貫通孔２９の下流側には、中間魚道２３が連結され、中間魚道２３と魚道中間プ−ル３１を介して下段魚道３２に連結され、下段魚道３２の下端は、遡上する魚の入口３3 となるもので、その位置は副堤２４の導水部２８の近傍とし川Ｒの下流側に注がれる。上段魚道３０と中間魚道２３は下流に向かって低く傾斜しており、下段魚道３２は逆に上流に向かって低く傾斜しており、その結果、上流側の水は上段魚道３０、貫通孔２９、中間魚道２３、魚道中間プ−ル３１、下段魚道３２、魚道入口３３と順次通って副堤の下流側に注がれるものである。また、上段魚道３０、中間魚道２３、魚道中間プ−ル３１、下段魚道３２の両側には、魚道を遡上する魚の身をより安全にするために樹木を植える (枝・葉が多く茂る潅木が望ましい）。上記構成によって川Ｒの流れは乱流をおこすことなく流れ、遡上する魚は副堤の近辺の魚道本体の入口を容易に見つけ、スム−ズに遡上できるものである。
なお、放水路天端（放水部）の魚道側の一部を３０〜５０ｃｍ程度下げそれを導水部とし、また、魚道出口プ−ルの仕切の高さを該導水部より５〜２０ｃｍ程度上げ、また、魚道出口プ−ルの幅（仕切の長さ）、護岸の長さのそれぞれを２ｍ以上とし、更に、魚道出口と導水部の高さ（魚道出口と導水部の底面）をほぼ等しくしたことによって効果があったことは実証された。導水部の幅については川の水量が流域条件（面積、降水量、地形、地質など）によって変わり、その水量に影響を受けて導水部の幅も変えることになる。これまでの成果では、導水部の高さが３０ｃｍの場合、流域面積が５、１０、２０、２５Ｋｍ2 のときの導水部の幅はそれぞれ５０、１００、２００、２５０ｃｍがよかった。
以上、本発明の特徴点をあげれば、▲１▼本堤の放水路天端を放水部と導水部に２区分し該導水部から土砂、流木等を落下させ土砂、流木等による魚道の埋設・閉塞から防止させること、▲２▼魚道出口と上段魚道の間に余水吐を設け水量調節を行うこと、▲３▼魚道出口の上流側を擁壁と仕切で囲んだ魚道出口プ−ルを設け、魚道への土砂等の流入防止を行うこと、▲４▼魚道出口プ−ルの擁壁の上流側に護岸を並置し護岸→擁壁→仕切→導水部の水の流れを一直線（整流）とし、さらにその部分の流れをスムーズにするために擁壁と仕切の前面（みお筋部）の川底をコンクリ−ト張にし魚道への巻込（乱流）を防止したこと、▲５▼魚に対して魚道入口の発見を容易とするように下段魚道の下端を本堤（副堤）の近傍に配置したこと、▲６▼魚道の周囲に樹木を植え外敵から遡上する魚の身の安全を図ったこと、等である。
【００１１】
【発明の効果】
以上、説明したように、本発明によれば、本堤の放水路天端の一部を下げた凹部（「導水部」、または、「みお筋」と言う）とし、その導水部と同じ高さの魚道出口としたので、渇水時においては導水部と魚道出口からの流水となる。したがって渇水時においても魚道本体での水量が確保でき、さらに導水部は土砂・ゴミの落下部も兼ねているから、魚道本体への土砂・ゴミの流入の大幅な軽減を図るものである。また、魚は滝に集まる習性があるので、本堤からの遡上のときは本提の導水部の落水部付近に、また、副堤からの遡上のときは副提の導水部（「呼水」と言う）の落水部付近に魚道入口を設けたことにより、反対側を遡上する魚に対しても迷うことなく容易に魚道入口を発見できる。また、魚道出口を「擁壁」と「仕切」で囲って魚道出口プールとしたために、魚道出口への土砂・ゴミの流入・巻込が大幅に軽減され、魚道本体が埋没・閉塞することを防止するものである。また、「護岸」と「擁壁」と「仕切」の川の流れの方向の面を面一とし、更に、その延長線上に「放水路天端の導水部」を設けたので、川の流れは一直線にし、さらに、みお筋部の流れをスムーズにするために、該みお筋部の川底をコンクリ−ト張にし乱流防止となり「仕切」から魚道出口プールへの土砂・ゴミの巻込の防止となる。また、魚道本体の周辺には樹木（潅木が好ましい）を植えたので魚道本体を遡上する魚の身を鳥等から守るものである。
【図面の簡単な説明】
【図１】本発明の第一実施例である渓流ダムの本堤、魚道、及び魚道に対する保護施設の概念図である。
【図２】本発明の第一実施例の本堤の斜視図である。
【図３】本発明の第一実施例の平面図である。
【図４】本発明の第一実施例の魚道及び余水吐の斜視図である。
【図５】本発明の第二実施例である渓流ダムの本堤・副堤、魚道、及び魚道に対する保護施設の概念図である。
【図６】本発明の第二実施例の本堤の斜視図である。
【図７】本発明の第二実施例の平面図である。
【符号の説明】
１      本堤（治山ダム又は砂防ダムの本堤）
２      魚道（実施例一・二はバ−チカルスロット型を用いたが、魚道形式はこだわらない）
３      魚道出口プ−ル
４      擁壁
５      護岸
６      袖天端
７      魚道出口としての貫通孔
８      放水路天端（放水部）
９      放水部（放水路天端）
１０    導水部
１１    上段魚道
１２    魚道中間プ−ル
１３    下段魚道
１４    魚道入口
１５    側壁（魚道の側壁）
１６    側壁（魚道の側壁）
１７    隔壁（バ−チカルスロット式魚道の場合）
１８    隔壁（バ−チカルスロット式魚道の場合）
１９    余水吐
２０    仕切
２１    魚道出口
２２    樹木
２３    中間魚道
２４    副堤
２５    袖天端
２６    放水部（放水路天端）
２７    放水路天端（放水部）
２８    導水部
２９    副堤貫通孔
３０    上段魚道
３１    魚道中間プール
３２    下段魚道
３３    魚道入口
３４    みお筋部
Ｒ      川（沢）
【図１】
0003917475.tif 000002
【図２】
0003917475.tif 000003
【図３】
0003917475.tif 000004
【図４】
0003917475.tif 000005
【図５】
0003917475.tif 000006
【図６】
0003917475.tif 000007
【図７】
0003917475.tif 000008